(57)【特許請求の範囲】
【請求項１】
利用者を被写体として撮影し、得られた撮影画像に対して前記利用者に編集入力を行わせ、前記編集入力により編集された前記撮影画像を所定のシール紙に印刷して写真シールを作成する写真シール作成装置であって、
前記利用者を被写体として撮影する撮影手段と、
撮影により得られた複数の前記撮影画像それぞれに合成させる背景画像であって、所定のテーマで統一された複数の背景画像が１組のセットとして互いに隣接して配置されて構成されるセット背景画像を複数表示し、そのいずれかを前記利用者に選択させるための選択画面を表示制御する表示制御手段と、
前記選択画面に対する前記利用者の選択の入力を受け付ける入力受付手段と、
前記利用者により選択され、複数の前記撮影画像が合成された前記セット背景画像を前記シール紙に印刷する印刷処理手段と
を備え、
前記セット背景画像は、少なくとも１つの白色系の前記背景画像が、少なくとも１つの非白色系の前記背景画像に隣接して配置されて構成され、
前記シール紙の縁の色は、前記セット背景画像の色に対応した色とされる
写真シール作成装置。
【請求項２】
前記セット背景画像は、複数の前記背景画像のうちの、少なくとも一部の前記背景画像について、白色系の前記背景画像と非白色系の前記背景画像とが市松模様状に配置されて構成される
請求項１に記載の写真シール作成装置。
【請求項３】
前記セット背景画像において、前記背景画像は、合成される前記撮影画像の撮影順に応じて配置される
請求項１または２に記載の写真シール作成装置。
【請求項４】
前記入力受付手段は、前記背景画像の配置に対応して合成される前記撮影画像の配置の入れ替えの指示の入力を受け付ける
請求項３に記載の写真シール作成装置。
【請求項５】
前記セット背景画像は、複数の前記撮影画像のうちの一部の前記撮影画像に合成させる前記背景画像が配置されて構成され、
前記入力受付手段は、前記セット背景画像の選択の入力とは別に、複数の前記撮影画像のうちの他の前記撮影画像に合成させる前記背景画像の選択の入力を受け付ける
請求項１または２に記載の写真シール作成装置。
【請求項６】
前記セット背景は、複数の前記背景画像に加え、前記撮影画像における前記被写体の前景となる前景画像を含むようにして構成される
請求項１乃至５のいずれかに記載の写真シール作成装置。
【請求項７】
前記表示制御手段は、前記利用者毎に、前記シール紙における前記撮影画像の配置を表すシールレイアウトを選択させるための選択画面を表示制御し、
前記入力受付手段は、前記利用者毎の、前記シールレイアウトの選択の入力を受け付ける
請求項１に記載の写真シール作成装置。
【請求項８】
前記表示制御手段は、前記利用者の指示に応じて、前記シール紙において前記撮影画像が第１の方向に配列される第１のシールレイアウト、または、前記シール紙において前記撮影画像が前記第１の方向とは異なる第２の方向に配列される第２のシールレイアウトを選択させるための選択画面を表示制御する
請求項７に記載の写真シール作成装置。
【請求項９】
前記印刷処理手段は、前記利用者それぞれに選択された前記シールレイアウトで配置された前記撮影画像を、１枚の前記シール紙に印刷する
請求項７または８に記載の写真シール作成装置。
【請求項１０】
利用者を被写体として撮影し、得られた撮影画像に対して前記利用者に編集入力を行わせ、前記編集入力により編集された前記撮影画像を所定のシール紙に印刷して写真シールを作成する写真シール作成装置の写真シール作成方法であって、
前記利用者を被写体として撮影し、
撮影により得られた複数の前記撮影画像それぞれに合成させる背景画像であって、所定のテーマで統一された複数の背景画像が１組のセットとして互いに隣接して配置されて構成されるセット背景画像を複数表示し、そのいずれかを前記利用者に選択させるための選択画面を表示制御し、
前記選択画面に対する前記利用者の選択の入力を受け付け、
前記利用者により選択され、複数の前記撮影画像が合成された前記セット背景画像を前記シール紙に印刷する
ステップを含み、
前記セット背景画像は、少なくとも１つの白色系の前記背景画像が、少なくとも１つの非白色系の前記背景画像に隣接して配置されて構成され、
前記シール紙の縁の色は、前記セット背景画像の色に対応した色とされる
写真シール作成方法。
【請求項１１】
利用者を被写体として撮影し、得られた撮影画像に対して前記利用者に編集入力を行わせ、前記編集入力により編集された前記撮影画像を所定のシール紙に印刷して写真シールを作成する写真シール作成装置を制御するコンピュータに実行させるプログラムであって、
前記利用者を被写体として撮影し、
撮影により得られた複数の前記撮影画像それぞれに合成させる背景画像であって、所定のテーマで統一された複数の背景画像が１組のセットとして互いに隣接して配置されて構成されるセット背景画像を複数表示し、そのいずれかを前記利用者に選択させるための選択画面を表示制御し、
前記選択画面に対する前記利用者の選択の入力を受け付け、
前記利用者により選択され、複数の前記撮影画像が合成された前記セット背景画像を前記シール紙に印刷する
ステップを含む処理をコンピュータに実行させ、
前記セット背景画像は、少なくとも１つの白色系の前記背景画像が、少なくとも１つの非白色系の前記背景画像に隣接して配置されて構成され、
前記シール紙の縁の色は、前記セット背景画像の色に対応した色とされる
プログラム。
【発明の詳細な説明】
【技術分野】
【０００１】
本発明は、写真シール作成装置および方法、並びにプログラムに関し、特に、立体感のあるシール紙を提供することができるようにする写真シール作成装置および方法、並びにプログラムに関する。
【背景技術】
【０００２】
従来、利用者（被写体）を撮影し、得られた撮影画像に予め用意されている画像を合成したり、文字や線画を重畳させたりする落書き編集処理を行い、シール紙に印刷し、利用者に提供する写真シール機が存在する。
【０００３】
このような写真シール機の中には、撮影画像に対して被写体の背景として合成される背景画像を、撮影画像毎に個々に選択させずに、所定のテーマで統一された複数の背景画像を１組のセットとしたセット背景を用意することで、複数の撮影画像それぞれに合成させる背景画像を一括で選択させるようにしたものがある。（例えば、特許文献１参照）。
【０００４】
また、落書き編集処理において、編集対象画像に合成させる合成用画像として、上述のセット背景に応じた、「シンプル」、「オシャレ」、「ポップ」といったテイストの編集ツール（ペン、スタンプ等）を利用者に提供する写真シール機がある（例えば、特許文献２参照）。
【０００５】
このように、複数の撮影画像に合成させる背景画像として、所定のテーマのセット背景を選択させたり、セット背景に応じたテイストの編集ツールで落書き編集を行わせることで、統一感のあるシール紙を利用者に提供することができる。
【先行技術文献】
【特許文献】
【０００６】
【特許文献１】特開２０１１−２３４２１５号公報
【特許文献２】特開２０１１−２３２６３０号公報
【発明の概要】
【発明が解決しようとする課題】
【０００７】
しかしながら、上述した写真シール機では、統一感のあるシール紙を提供することはできても、立体感のあるシール紙を提供することはできなかった。統一感のあるシール紙に立体感を持たせることができれば、利用者の満足度をより高めることができると考えられる。
【０００８】
本発明は、このような状況に鑑みてなされたものであり、立体感のあるシール紙を提供することができるようにするものである。
【課題を解決するための手段】
【０００９】
本発明の一側面の写真シール作成装置は、利用者を被写体として撮影し、得られた撮影画像に対して前記利用者に編集入力を行わせ、前記編集入力により編集された前記撮影画像を所定のシール紙に印刷して写真シールを作成する写真シール作成装置であって、前記利用者を被写体として撮影する撮影手段と、撮影により得られた複数の前記撮影画像それぞれに合成させる背景画像であって、所定のテーマで統一された複数の背景画像が１組のセットとして互いに隣接して配置されて構成されるセット背景画像を複数表示し、そのいずれかを前記利用者に選択させるための選択画面を表示制御する表示制御手段と、前記選択画面に対する前記利用者の選択の入力を受け付ける入力受付手段と、前記利用者により選択され、複数の前記撮影画像が合成された前記セット背景画像を前記シール紙に印刷する印刷処理手段とを備え、前記セット背景画像は、少なくとも１つの白色系の前記背景画像が、少なくとも１つの非白色系の前記背景画像に隣接して配置されて構成され、前記シール紙の縁の色は、前記セット背景画像の色に対応した色とされる。
【００１０】
前記セット背景画像は、複数の前記背景画像のうちの、少なくとも一部の前記背景画像について、白色系の前記背景画像と非白色系の前記背景画像とが市松模様状に配置されて構成されるようにすることができる。
【００１１】
前記セット背景画像において、前記背景画像は、合成される前記撮影画像の撮影順に応じて配置されるようにすることができる。
【００１２】
前記入力受付手段には、前記背景画像の配置に対応して合成される前記撮影画像の配置の入れ替えの指示の入力を受け付けさせることができる。
【００１３】
前記セット背景画像は、複数の前記撮影画像のうちの一部の前記撮影画像に合成させる前記背景画像が配置されて構成され、前記入力受付手段には、前記セット背景画像の選択の入力とは別に、複数の前記撮影画像のうちの他の前記撮影画像に合成させる前記背景画像の選択の入力を受け付けさせることができる。
【００１５】
前記セット背景は、複数の前記背景画像に加え、前記撮影画像における前記被写体の前景となる前景画像を含むようにして構成されるようにすることができる。
【００１６】
前記表示制御手段には、前記利用者毎に、前記シール紙における前記撮影画像の配置を表すシールレイアウトを選択させるための選択画面を表示制御させ、前記入力受付手段には、前記利用者毎の、前記シールレイアウトの選択の入力を受け付けさせることができる。
【００１７】
前記表示制御手段には、前記利用者の指示に応じて、前記シール紙において前記撮影画像が第１の方向に配列される第１のシールレイアウト、または、前記シール紙において前記撮影画像が前記第１の方向とは異なる第２の方向に配列される第２のシールレイアウトを選択させるための選択画面を表示制御させることができる。
【００１８】
前記印刷処理手段には、前記利用者それぞれに選択された前記シールレイアウトで配置された前記撮影画像を、１枚の前記シール紙に印刷させることができる。
【００１９】
本発明の一側面の写真シール作成方法は、利用者を被写体として撮影し、得られた撮影画像に対して前記利用者に編集入力を行わせ、前記編集入力により編集された前記撮影画像を所定のシール紙に印刷して写真シールを作成する写真シール作成装置の写真シール作成方法であって、前記利用者を被写体として撮影し、撮影により得られた複数の前記撮影画像それぞれに合成させる背景画像であって、所定のテーマで統一された複数の背景画像が１組のセットとして互いに隣接して配置されて構成されるセット背景画像を複数表示し、そのいずれかを前記利用者に選択させるための選択画面を表示制御し、前記選択画面に対する前記利用者の選択の入力を受け付け、前記利用者により選択され、複数の前記撮影画像が合成された前記セット背景画像を前記シール紙に印刷するステップを含み、前記セット背景画像は、少なくとも１つの白色系の前記背景画像が、少なくとも１つの非白色系の前記背景画像に隣接して配置されて構成され、前記シール紙の縁の色は、前記セット背景画像の色に対応した色とされる。
【００２０】
本発明の一側面のプログラムは、利用者を被写体として撮影し、得られた撮影画像に対して前記利用者に編集入力を行わせ、前記編集入力により編集された前記撮影画像を所定のシール紙に印刷して写真シールを作成する写真シール作成装置を制御するコンピュータに実行させるプログラムであって、前記利用者を被写体として撮影し、撮影により得られた複数の前記撮影画像それぞれに合成させる背景画像であって、所定のテーマで統一された複数の背景画像が１組のセットとして互いに隣接して配置されて構成されるセット背景画像を複数表示し、そのいずれかを前記利用者に選択させるための選択画面を表示制御し、前記選択画面に対する前記利用者の選択の入力を受け付け、前記利用者により選択され、複数の前記撮影画像が合成された前記セット背景画像を前記シール紙に印刷するステップを含む処理をコンピュータに実行させ、前記セット背景画像は、少なくとも１つの白色系の前記背景画像が、少なくとも１つの非白色系の前記背景画像に隣接して配置されて構成され、前記シール紙の縁の色は、前記セット背景画像の色に対応した色とされる。
【００２１】
本発明の一側面においては、利用者が被写体として撮影され、撮影により得られた複数の撮影画像それぞれに合成させる背景画像であって、所定のテーマで統一された複数の背景画像が１組のセットとして互いに隣接して配置されて構成されるセット背景画像を複数表示し、そのいずれかを利用者に選択させるための選択画面が表示制御され、選択画面に対する利用者の選択の入力が受け付けられ、利用者により選択され、複数の撮影画像が合成されたセット背景画像がシール紙に印刷される。セット背景画像は、少なくとも１つの白色系の背景画像が、少なくとも１つの非白色系の背景画像に隣接して配置されて構成され、シール紙の縁の色は、セット背景画像の色に対応した色とされる。
【発明の効果】
【００２２】
本発明によれば、立体感のあるシール紙を提供することが可能となる。
【図面の簡単な説明】
【００２３】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】床材の平面図である。
【図８】事後接客部の構成例を示す図である。
【図９】写真シール作成装置の内部の構成例を示すブロック図である。
【図１０】制御部の機能構成例を示すブロック図である。
【図１１】編集処理部の機能構成例を示すブロック図である。
【図１２】写真シール作成ゲーム処理の流れの例を説明するフローチャートである。
【図１３】編集処理について説明するフローチャートである。
【図１４】セット背景選択画面の例を示す図である。
【図１５】セット背景パレットの他の例を示す図である。
【図１６】セット背景パレットの他の例を示す図である。
【図１７】セット背景パレットの他の例を示す図である。
【図１８】白色系の背景画像の詳細について説明する図である。
【図１９】背景画像と撮影画像の配置について説明する図である。
【図２０】セット背景とは別に選択される背景画像について説明する図である。
【図２１】複数のセット背景について説明する図である。
【図２２】分割パターン選択画面の例を示す図である。
【図２３】分割パターン選択画面の例を示す図である。
【図２４】分割パターン選択画面の例を示す図である。
【図２５】出力されるシール紙の例を示す図である。
【図２６】出力されるシール紙の例を示す図である。
【図２７】出力されるシール紙の例を示す図である。
【図２８】出力されるシール紙の例を示す図である。
【図２９】出力されるシール紙の例を示す図である。
【図３０】出力されるシール紙の例を示す図である。
【発明を実施するための形態】
【００２４】
以下、本発明を適用した具体的な実施の形態について、図面を参照しながら詳細に説明する。
【００２５】
［写真シール作成装置の外観構成］
図１は、写真シール作成装置１の外観の構成例を示す斜視図である。
【００２６】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるが、主に２人または３人等の複数人である。
【００２７】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２８】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００２９】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３０】
撮影部２１は撮影処理を利用者に行わせる装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタなどが設けられる。撮影空間にいる利用者から見て右側の面を右側面、左側の面を左側面とすると、撮影部２１の右側面が側面パネル４２Ａにより構成され、左側面が側面パネル４２Ｂ（図示せず）により構成される。
【００３１】
背景部２２は、正面を向いて撮影処理を行っている利用者の背面側に位置する板状の部材である背面パネル５１、背面パネル５１の右端に取り付けられ、側面パネル４２Ａより横幅の狭い板状の部材である側面パネル５２Ａ、および、背面パネル５１の左端に取り付けられ、側面パネル４２Ｂより横幅の狭い板状の部材である側面パネル５２Ｂ（図示せず）から構成される。
【００３２】
撮影部２１の右側面を構成する側面パネル４２Ａと背景部２２の側面パネル５２Ａは、ほぼ同一平面に設けられ、それぞれの上部が板状の部材である連結部２３Ａによって、それぞれの下部が、例えば金属製の略コの字型の部材である連結部２３Ａ’によって連結される。また、撮影部２１の左側面を構成する側面パネル４２Ｂと背景部２２の側面パネル５２Ｂは、ほぼ同一平面に設けられ、それぞれの上部が板状の部材である連結部２３Ｂによって、それぞれの下部が、例えば金属製の略コの字型の部材である連結部２３Ｂ’（図示せず）によって連結される。
【００３３】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。撮影空間の内部には床材２７が設置される。利用者は、撮影空間に入り、床材２７の上に立って撮影を行うことになる。
【００３４】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３５】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００３６】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、フラッシュとして撮影に合わせて撮影空間内に向けて発光するストロボを内蔵する。天井ストロボユニット２４の内部には、ストロボの他に、蛍光灯が設けられており、撮影空間の照明としても機能する。
【００３７】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３８】
図１に示す編集部１２の構成を正面側の構成とすると、２組の利用者が同時に編集処理を行うことができるように、編集部１２の正面側と背面側には編集処理に用いられる構成がそれぞれ設けられる。
【００３９】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の右側には、柱状の形状を有し、照明装置７４の一端を支持する支持部７３Ａが設けられる。斜面７２の左側にも、照明装置７４の他端を支持する支持部７３Ｂ（図２）が設けられる。さらに、支持部７３Ａの右側には、板状の形状を有し、事後接客部１３が連結して設けられる支持部７３Ｃが設けられる。また、支持部７３Ｃの上面にはカーテンレール２６を支持する支持部７５が設けられる。
【００４０】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４１】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４２】
図２は、写真シール作成装置１を別の角度から見た斜視図である。
【００４３】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４４】
図２に示すように、事後接客部１３は、所定の厚さを有する板状の筐体を有しており、編集部１２の右側面に接合されて設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４５】
ここで、写真シール作成ゲームの流れと、それに伴う利用者の移動について図３を参照して説明する。図３は、写真シール作成装置１を上から見た平面図である。
【００４６】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４７】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４８】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４９】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５０】
画像の印刷が終了したとき、利用者は、事後接客部１３に設けられた排出口からシール紙を受け取り、一連の写真シール作成ゲームを終えることになる。
【００５１】
次に、各装置の構成について説明する。
【００５２】
［撮影部の構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５３】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００５４】
正面パネル４１の中央からやや上側には撮影・表示ユニット８１が設けられる。撮影・表示ユニット８１は、カメラ９１、タッチパネルモニタ９２、および正面ストロボ９３から構成される。
【００５５】
カメラ９１は、レンズやCCD(Charge Coupled Device)などの撮像素子により構成され、撮影空間Ａ１にいる利用者を撮影する。カメラ９１により取り込まれた動画像は、タッチパネルモニタ９２にリアルタイムで表示される。利用者により撮影が指示されたときなどの所定のタイミングでカメラ９１により取り込まれた画像は撮影画像（静止画像）として保存される。
【００５６】
カメラ９１の下側に設けられたタッチパネルモニタ９２は、LCD(Liquid Crystal Display)などのモニタと、それに積層されたタッチパネルにより構成される。タッチパネルモニタ９２は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９２には、適宜、撮影結果としての静止画像や、背景等の画像が合成された後の動画像が表示される。
【００５７】
カメラ９１の上側および左右を囲むように半円状の発光面（乳白アクリル板）が設けられた正面ストロボ９３は、内蔵されたストロボがカメラ９１による撮影に合わせて発光することで、被写体としての利用者の顔付近を正面から照射する。
【００５８】
正面パネル４１には、撮影・表示ユニット８１の上方に右上ストロボ８２および左上ストロボ８３が設置される。右上ストロボ８２は、内蔵されたストロボが発光することで、利用者を、利用者から見て右上前方から照射し、左上ストロボ８３は、内蔵されたストロボが発光することで、利用者を、利用者から見て左上前方から照射する。
【００５９】
ベース部４３には利用者の足元を照射する足元ストロボ８４も設けられる。右上ストロボ８２、左上ストロボ８３、足元ストロボ８４、および正面ストロボ９３の内部には、ストロボの他に、蛍光灯を設けるようにし、天井ストロボユニット２４の内部の蛍光灯と合わせて、撮影空間Ａ１内の照明として用いられるようにしてもよい。各ストロボの発光量が調整されることによって、または、発光させるストロボの数が調整されることによって、利用者に照射される光が調整される。
【００６０】
足元ストロボ８４の右側には、利用者がお金を投入する硬貨投入返却口８５が設けられる。
【００６１】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６２】
［背景部の構成］
図５は、背景部２２の撮影空間Ａ１側の構成例を示す図である。
【００６３】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６４】
背面パネル５１の、出入り口Ｇ１側の位置には、撮影空間Ａ１内で撮影処理を行っている利用者を右後方から照射する背面右ストロボ１０２が取り付けられる。また、背面パネル５１の、出入り口Ｇ２側の位置には、撮影空間Ａ１内で撮影処理を行っている利用者を左後方から照射する背面左ストロボ１０３が取り付けられる。
【００６５】
図６は、床材２７の平面図である。
【００６６】
板や樹脂よりなる床材２７には、角丸の長方形の区画である区画２７Ａと区画２７Ｂが並べて形成される。例えば区画２７Ａと区画２７Ｂは、床材２７にプリントされることによって、またはシートが貼り付けられることによって形成される。
【００６７】
図６においては、上方向が撮影部２１の設置方向であり、下方向が背景部２２の設置方向である。カメラ９１の位置を基準とした場合、区画２７Ａは、カメラ９１に近い位置に形成され、区画２７Ｂは、カメラ９１から遠い位置に形成される。区画２７Ａの短手方向の長さは、区画２７Ｂの短手方向の長さより若干長く、区画２７Ａの長手方向の長さは、区画２７Ｂの長手方向の長さより短い。区画２７Ａと区画２７Ｂの長手方向は、破線で示すカメラ９１の光軸Ｌと略垂直に交わる。
【００６８】
区画２７Ａの内側には「盛れるzone」の文字がプリントされ、区画２７Ｂの内側には「大人数zone」の文字がプリントされる。後述するように、２人または３人で撮影することを利用者が選択した場合、区画２７Ａの内側に入って撮影することが写真シール作成装置１により案内され、４人で撮影することを利用者が選択した場合、区画２７Ｂの内側に入って撮影することが写真シール作成装置１により案内される。撮影位置の案内は、タッチパネルモニタ９２の表示やスピーカからの音声によって行われる。
【００６９】
区画２７Ａからカメラ９１までの距離は、２人または３人の利用者が区画２７Ａ内に立って撮影したときに、利用者の顔付近が所定の大きさで写る距離とされる。同様に、区画２７Ｂからカメラ９１までの距離は、４人の利用者が区画２７Ｂ内に立って撮影したときに、その利用者の顔付近が所定の大きさで写る距離とされる。
【００７０】
図６の例においては利用者の人数に応じた立ち位置を示す区画として２つの区画が形成されるものとしたが、３つ以上の区画が形成されるようにしてもよい。この場合、より人数の少ない利用者の立ち位置として案内する区画の方が、大人数の利用者の立ち位置として案内する区画よりカメラ９１に近い位置に形成される。また、より人数の多い利用者の立ち位置として案内する区画の長手方向の長さが、小人数の利用者の立ち位置として案内する区画の長手方向の長さより長くなるように形成される。
【００７１】
また、大人数の場合には、利用者は、自然とカメラ９１から遠い位置を立ち位置とする可能性もあるので、利用者の人数に応じた立ち位置を示す区画として、区画２７Ａのみが形成されるようにしてもよい。
【００７２】
［編集部の構成］
図７は、編集部１２の背面側（編集空間Ａ２−２側）の構成例を示す図である。
【００７３】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７４】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７５】
編集部１２の左側には事後接客部１３が設けられる。
【００７６】
［事後接客部の構成］
図８は、事後接客部１３の正面側の構成例を示す図である。
【００７７】
事後接客部１３の上方中央にはタブレット内蔵モニタ１６１が設けられる。タブレット内蔵モニタ１６１は、利用者の指等を用いて操作入力が可能なタブレットがLCDなどのモニタに重畳して設けられることによって構成される。タブレット内蔵モニタ１６１には、事後接客処理に用いられる画面が表示される。
【００７８】
タブレット内蔵モニタ１６１の下にはスピーカ１６２が設けられ、スピーカ１６２の下にはシール紙排出口１６３が設けられる。
【００７９】
スピーカ１６２は、事後接客処理の案内音声、BGM、効果音等の音を出力する。
【００８０】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８１】
［写真シール作成装置の内部構成］
次に、写真シール作成装置１の内部構成について説明する。図９は、写真シール作成装置１の内部の構成例を示すブロック図である。上述した構成と同じ構成には同じ符号を付してある。重複する説明については適宜省略する。
【００８２】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００８３】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００８４】
通信部２０３は、インターネットなどのネットワークのインタフェースであり、制御部２０１による制御に従って外部の装置と通信を行う。
【００８５】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８６】
ROM２０６には、制御部２０１において実行されるプログラムやデータが記憶されている。RAM２０７は、制御部２０１が処理するデータやプログラムを一時的に記憶する。
【００８７】
撮影部２０８は、撮影空間Ａ１における撮影処理を行う構成である硬貨処理部２２１、背景制御部２２２、照明装置２２３、カメラ９１、タッチパネルモニタ９２、およびスピーカ２２４から構成される。
【００８８】
硬貨処理部２２１は、硬貨投入返却口８５に対する硬貨の投入を検出する。硬貨処理部２２１は、例えば４００円などの所定の金額分の硬貨が投入されたことを検出した場合、そのことを表す起動信号を制御部２０１に出力する。
【００８９】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９０】
照明装置２２３は、撮影空間Ａ１内の各ストロボの内部に設けられるストロボ（フラッシュ）であり、制御部２０１より供給される照明制御信号に従って発光する。上述したように、撮影空間Ａ１には、天井ストロボユニット２４のストロボの他に、撮影部２１に設けられる右上ストロボ８２、左上ストロボ８３、足元ストロボ８４、正面ストロボ９３、背景部２２に設けられる背面中央ストロボ１０１、背面右ストロボ１０２、背面左ストロボ１０３が設けられている。
【００９１】
カメラ９１は、制御部２０１による制御に従って撮影を行い、撮影によって得られた画像を制御部２０１に出力する。
【００９２】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９３】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９４】
事後接客部２１０は、事後接客空間Ａ３における事後接客処理を行う構成であるタブレット内蔵モニタ１６１、スピーカ１６２、印刷処理を行う構成であるプリンタ２４１、およびシール紙ユニット２４２から構成される。
【００９５】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【００９６】
［制御部の構成］
次に、制御部２０１について説明する。図１０は、制御部２０１がROM２０６などに格納されているプログラムを実行することにより実現される機能ブロックの構成例を示している。
【００９７】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【００９８】
このように、制御部２０１は、写真シール作成ゲームの各工程に関する処理の制御を行う。
［編集処理部の構成例］
【００９９】
図１１は、編集処理部３０２の詳細な機能構成例を示すブロック図である。
【０１００】
編集処理部３０２は、撮影画像取得部３２１、表示制御部３２２、入力受付部３２３、落書き編集部３２４、および分割数設定部３２５から構成される。
【０１０１】
撮影画像取得部３２１は、撮影空間Ａ１における撮影処理により得られる撮影画像を取得する。
【０１０２】
表示制御部３２２は、タッチパネルモニタ９２の表示を制御する。
【０１０３】
入力受付部３２３は、タッチパネルモニタ９２に表示される各種のGUIに対して利用者により行われる操作入力を受け付ける。
【０１０４】
落書き編集部３２４は、編集空間Ａ２−１や編集空間Ａ２−２において行われる、利用者による撮影画像に対する落書き編集作業に関する処理を行う。
【０１０５】
分割数設定部３２５は、シールレイアウトを決定するシール紙の分割数の設定に関する処理を行う。シールレイアウトは、写真シール作成ゲームの一連の処理において最終的に出力されるシール紙における画像（編集済み画像）の配置を示すものである。
【０１０６】
［写真シール作成装置の動作］
ここで、図１２のフローチャートを参照して、写真シール作成ゲームを提供する写真シール作成装置１の処理について説明する。
【０１０７】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１０８】
ステップＳ１において、硬貨が投入されたと判定された場合、ステップＳ２において、撮影処理部３０１は、撮影部２０８を制御し、カメラ９１に取り込まれた被写体の動画像をタッチパネルモニタ９２にライブビュー表示させ、撮影空間Ａ１にいる利用者を被写体として撮影し、撮影画像を出力する撮影処理を行う。
【０１０９】
撮影処理においては、例えば６回の撮影が行われ、撮影結果として、６枚の撮影画像が得られる。もちろん、撮影が行われる回数は、６回に限られない。
【０１１０】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９２に画面を表示させることによって、または音声をスピーカ２２４から出力させることによって行われる。
【０１１１】
ステップＳ４において、編集処理部３０２は、編集空間Ａ２−１と編集空間Ａ２−２のうち、撮影処理を終えた利用者の移動先とした方の編集空間に対応する編集部２０９を制御し、撮影処理により得られた撮影画像に対して利用者に落書き編集入力を行わせ、落書き編集が施された編集済み画像を出力する編集処理を行う。
【０１１２】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１３】
ステップＳ６において、印刷処理部３０３は、撮影処理により得られた撮影画像、または編集処理により得られた編集済み画像を、印刷画像としてプリンタ２４１に出力してシール紙に印刷する印刷処理を行う（開始する）。
【０１１４】
また、タブレット内蔵モニタ１６１に表示される、事後接客処理の開始ボタンが選択されると、ステップＳ７において、事後接客処理部３０４は、印刷終了待機中の利用者に対する事後接客処理を行う。具体的には、事後接客処理部３０４は、撮影画像や編集済みの画像を、携帯送信用画像として携帯端末に送信する携帯送信ゲーム処理を事後接客処理として行う。
【０１１５】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０１１６】
［編集処理の例］
次に、図１３のフローチャートを参照して、上述した写真シール作成ゲームの一連の処理におけるステップＳ４の編集処理の流れを説明する。
【０１１７】
編集処理が開始されると、ステップＳ３１において、撮影画像取得部３２１は、撮影処理部３０１により得られた、例えば６枚の撮影画像を取得する。
【０１１８】
ステップＳ３２において、表示制御部３２２は、タブレット内蔵モニタ１３１にGUIを表示し、入力受付部３２３は、利用者からの指示を受け付け、利用者それぞれの名前（おなまえ）を入力させる。
【０１１９】
ステップＳ３３において、表示制御部３２２は、タブレット内蔵モニタ１３１にGUIを表示し、入力受付部３２３は、利用者からの指示を受け付け、セット背景画像（以下、セット背景という）を選択させる。
【０１２０】
セット背景は、撮影により得られた、例えば６枚の複数の撮影画像それぞれに合成させる背景画像であって、所定のテーマで統一された複数の背景画像を１組のセットとしたものである。
【０１２１】
図１４は、セット背景の選択の際に表示されるセット背景選択画面の例を示す図である。
【０１２２】
図１４に示されるように、セット背景選択画面４０１の下半分には、利用者に選択させるセット背景が表示されるセット背景パレット４１１が設けられている。セット背景パレット４１１の上方には、セット背景パレット４１１において利用者により選択されたセット背景が表示される選択セット背景表示部４１２が設けられている。また、選択セット背景表示部４１２の右側には、選択セット背景表示部４１２に表示されているセット背景を、撮影画像に合成されるセット背景として決定するためのＯＫボタン４１３が設けられている。
【０１２３】
セット背景パレット４１１には、セット背景が、「写真プリ」、「カラー」、「デザイン」、「イベント」といったジャンル毎のタブに表示されるようになされており、図１４の例では、「写真プリ」タブが選択されている。「写真プリ」タブには、８つのセット背景４３１乃至４３８がテーマ毎に表示されている。具体的には、「写真プリ」タブに表示されるセット背景４３１乃至４３８それぞれには、撮影画像の仕上がりを、写真のように見せるようにする背景の色が、テーマとして与えられている。
【０１２４】
なお、「写真プリ」、「カラー」、「デザイン」、「イベント」といったセット背景の各ジャンルは、タブによる表示に限らず、ラジオボタン等のウィジェット（GUIの部品）によって切り替えて表示されるようにしてもよい。
【０１２５】
「写真プリ」タブに表示されるセット背景４３１乃至４３８は、それぞれテーマに合った６枚の背景画像が配置されて構成される。セット背景４３１乃至４３８においては、それぞれを構成する背景画像は全て同じものとされ、それぞれの背景画像は、テーマに応じた色のみのシンプルな画像とされる。
【０１２６】
このように、撮影画像に合成させる背景画像を、全て同じ背景画像とすることで、最終的にシール紙に印刷される６枚の撮影画像に統一感をもたせることができる。
【０１２７】
また、セット背景４３１乃至４３８のうち、セット背景４３７には「人気No.1」と表記されたタグが、セット背景４３２には「人気No.2」と表記されたタグが、それぞれ付されている。これらのタグは、利用者による選択の頻度に応じて付されるようにしてもよいし、利用者におすすめのセット背景に対して予め付されるようにしてもよい。
【０１２８】
これにより、利用者は、セット背景を選択する際に、人気のセット背景やおすすめのセット背景を確認しながら、好みのセット背景を選択することができる。
【０１２９】
さらに、セット背景パレット４１１の右下方には、「人物ON」ボタン４４１および「人物OFF」ボタン４４２が設けられている。「人物ON」ボタン４４１が選択されると、セット背景パレット４１１に表示されているセット背景４３１乃至４３８、および選択セット背景表示部４１２に表示されているセット背景それぞれは、６枚の撮影画像が合成された状態で表示される。「人物OFF」ボタン４４２が選択されると、それぞれのセット背景は、６枚の撮影画像が合成されていない状態で表示される。
【０１３０】
このように、セット背景選択画面４０１に表示されるセット背景を、撮影画像と合成させて表示させることで、利用者は、セット背景を合成させた後の撮影画像の仕上がりを確認しながら、セット背景を選択することができる。
【０１３１】
なお、セット背景において、背景画像それぞれは、合成される撮影画像の撮影順に配置されているものとする。
【０１３２】
例えば、選択セット背景表示部４１２において、背景セットを構成する６枚の背景画像が表示される領域をそれぞれ領域４１２−１乃至４１２−６とすると、セット背景において、領域４１２−１に対応する背景画像は、１回目の撮影により得られた撮影画像に合成され、領域４１２−２に対応する背景画像は、２回目の撮影により得られた撮影画像に合成される。同様にして、領域４１２−３に表示対応する背景画像は、３回目の撮影により得られた撮影画像に合成され、領域４１２−４に対応する背景画像は、４回目の撮影により得られた撮影画像に合成され、領域４１２−５に対応する背景画像は、５回目の撮影により得られた撮影画像に合成され、領域４１２−６に対応する背景画像は、６回目の撮影により得られた撮影画像に合成される。
【０１３３】
すなわち、「人物ON」ボタン４４１が選択されるとセット背景に合成されて表示される６枚の撮影画像は、撮影順に応じて配置される。
【０１３４】
さて、図１３のフローチャートの説明に戻り、ステップＳ３４において、落書き編集部３２４は、タブレット内蔵モニタ１３１やスピーカ２３１等を制御して、落書き作業の流れを案内する画像や音声を出力することにより、利用者に対して落書き作業のガイダンスを行う。
【０１３５】
ステップＳ３５において、落書き編集部３２４は、編集部２０９Ａまたは編集部２０９Ｂ（利用者が編集作業を行う方）の各部を制御して、利用者による撮影画像に対する落書き作業を受け付ける落書き編集処理を行う。
【０１３６】
落書き作業が終了すると、ステップＳ３６において、表示制御部３２２は、タブレット内蔵モニタ１３１にGUIを表示し、入力受付部３２３は、利用者からの指示を受け付け、シール紙の分割数を選択させる。そして、分割数設定部３２５は、利用者からの指示に応じて、シール紙の分割数を設定し、シールレイアウトを決定する。
【０１３７】
その後、編集処理部３０２が、落書き編集処理の結果得られた編集済み画像を、記憶部２０２に保存（記憶）させると、図１２のステップＳ４に戻り、それ以降の処理が行われる。
【０１３８】
ところで、撮影画像において、被写体の影は、撮影処理における撮影空間Ａ１内の各ストロボの発光によりできるが、撮影画像における被写体の一部に陰影がついている場合には、撮影画像に合成される背景画像の色が白色に近い色ほど、合成後の撮影画像において、より立体感が強調されるようになる。
【０１３９】
［セット背景の例］
そこで、以下においては、白色系の背景画像を含むセット背景の例について説明する。
【０１４０】
ここで、白色系とは、白色および白色に近い色を指し、例えばマンセル表色系では、高明度かつ低彩度で表現される色とされ、RGB表色系では、R,G,Bの各値が同値でかつ所定の値より大きい色とされる。もちろん、白色系の色を、他の表色系で表現するようにしてもよい。なお、以下においては、白色系ではない色を非表色系という。
【０１４１】
図１５乃至図１７は、「写真プリ」タブ以外のタブが選択されているセット背景パレット４１１を示している。
【０１４２】
まず、図１５には、「カラー」タブが選択されているセット背景パレット４１１が示されている。「カラー」タブには、８つのセット背景４５１乃至４５８がテーマ毎に表示されている。具体的には、「カラー」タブに表示されるセット背景４５１乃至４５８それぞれには、色の種類を表すテーマが与えられている。
【０１４３】
「カラー」タブに表示されるセット背景４５１乃至４５８もまた、それぞれテーマに合った６枚の背景画像が配置されて構成される。ただし、セット背景４５１乃至４５８は、少なくとも１つの白色系の背景画像が、少なくとも１つの非白色系の背景画像に隣接して配置されて構成される。
【０１４４】
例えば、セット背景４５１，４５２は、白色系の背景画像と非白色系の背景画像とが市松模様状に配置されて構成されている。また、セット背景４５６，４５７は、選択セット背景表示部４１２における領域４１２−１，４１２−２，４１２−４，４１２−５に対応する４枚の背景画像について、白色系の背景画像と非白色系の背景画像とが市松模様状に配置されて構成されている。
【０１４５】
また、セット背景４５１乃至４５８のうち、セット背景４５４には「人気No.1」と表記されたタグが、セット背景４５７には「人気No.2」と表記されたタグが、それぞれ付されている。
【０１４６】
図１６には、「デザイン」タブが選択されているセット背景パレット４１１が示されている。「デザイン」タブには、８つのセット背景４６１乃至４６８がテーマ毎に表示されている。具体的には、「デザイン」タブに表示されるセット背景４６１乃至４６８それぞれには、イラストや図柄によって表現されるテーマが与えられている。
【０１４７】
「デザイン」タブに表示されるセット背景４６１乃至４６８もまた、それぞれテーマに合った６枚の背景画像が配置されて構成される。そのうち、セット背景４６１，４６２，４６４乃至４６８は、少なくとも１つの白色系の背景画像が、少なくとも１つの非白色系の背景画像に隣接して配置されて構成される。なお、セット背景４６３は、全て非白色系の背景画像が配置されて構成されている。
【０１４８】
例えば、セット背景４６１，４６２，４６６は、選択セット背景表示部４１２における領域４１２−１，４１２−２，４１２−４，４１２−５に対応する４枚の背景画像について、白色系の背景画像と非白色系の背景画像とが市松模様状に配置されて構成されている。
【０１４９】
なお、セット背景４６３は、全て非白色系の背景画像が配置されて構成されている。
【０１５０】
また、セット背景４６１乃至４６８のうち、セット背景４６７には「人気No.1」と表記されたタグが、セット背景４６３には「人気No.2」と表記されたタグが、それぞれ付されている。
【０１５１】
図１７には、「イベント」タブが選択されているセット背景パレット４１１が示されている。「イベント」タブには、８つのセット背景４７１乃至４７８がテーマ毎に表示されている。具体的には、「イベント」タブに表示されるセット背景４７１乃至４７８それぞれには、季節に応じたイベントや個人的な記念日等を表すテーマが与えられている。
【０１５２】
「イベント」タブに表示されるセット背景４７１乃至４７８もまた、それぞれテーマに合った６枚の背景画像が配置されて構成される。そのうち、セット背景４７１乃至４７５，４７７，４７８は、少なくとも１つの白色系の背景画像が、少なくとも１つの非白色系の背景画像に隣接して配置されて構成される。
【０１５３】
例えば、セット背景４７２，４７７は、白色系の背景画像と非白色系の背景画像とが市松模様状に配置されて構成されている。また、セット背景４７３，４７４，４７８は、選択セット背景表示部４１２における領域４１２−２，４１２−３，４１２−５，４１２−６に対応する４枚の背景画像について、白色系の背景画像と非白色系の背景画像とが市松模様状に配置されて構成されている。
【０１５４】
なお、セット背景４７６は、全て白色系の背景画像が配置されて構成されている。
【０１５５】
また、セット背景４７１乃至４７８のうち、セット背景４７８には「人気No.1」と表記されたタグが、セット背景４７５には「人気No.2」と表記されたタグが、それぞれ付されている。
【０１５６】
このように、セット背景において、白色系の背景画像が、非白色系の背景画像に隣接して配置されるようにすることで、６枚の撮影画像が印刷されるシール紙全体において、白色系の背景画像が合成された撮影画像が、隣接する非白色系の背景画像が合成された撮影画像に対して際立ち、具体的には、白色系の背景画像が合成された撮影画像が手前側、非白色系の背景画像が合成された撮影画像が奥側に見えるようになり、立体感のあるシール紙を提供することができるようになる。また、白色系の背景画像が合成された撮影画像それぞれにおいて、クロマキー処理により被写体の背景に影をつけるようにした場合には、その影がよく映え、立体感が強調されるようにもなる。
【０１５７】
なお、白色系の背景画像に隣接して配置される非白色系の背景画像の色を、セット背景における白色系の背景画像の配置に応じて、その濃淡を決定することで、シール紙全体における、白色系の背景画像が合成された撮影画像をより際立たせることができる。
【０１５８】
また、セット背景を構成する個々の背景画像において、図１８に示されるように、その下端に近づくほど明度や彩度が低くなるように、上下方向にグラデーションが施されるようにしてもよい。たとえば、図１８に示される背景画像が、白色系の背景画像である場合、背景画像の下端に近づくほど、グレーが濃くなるようにグラデーションが施される。なお、ここでは、図１８における、領域Ｗで示される領域が、最も淡い（明るい）色になるように、グラデーションが施されるようにする。
【０１５９】
図１８に示される背景画像が撮影画像に合成された場合、領域Ｗは、被写体領域ではなく、背景領域となる。また、通常、人物が被写体となる撮影画像においては、その下端ほど背景に影ができ、暗くなる。そこで、背景画像に対して、図１８のようなグラデーションを施すことで、背景画像が合成された撮影画像において、背景の暗い部分と明るい部分との差が強調され、立体感がさらに強調されるようになる。
【０１６０】
さらに、図１５乃至図１７を参照して説明したセット背景において、上下２段に配置される背景画像のうち、上段に配置される背景画像として、白色系の背景画像を多くするようにしてもよい。
【０１６１】
これにより、セット背景において、下段に配置される非白色系の背景画像と、上段に配置される白色系の背景画像とで、上下方向のグラデーションを作り出すことができ、結果として、シール紙全体としての立体感がさらに強調されるようになる。
【０１６２】
ところで、上述したように、セット背景に合成される撮影画像は、撮影順に応じて配置されるものとしたが、その配置を、利用者の指示によって変更するようにしてもよい。
【０１６３】
［背景画像と撮影画像の配置について］
図１９は、背景画像に対する撮影画像の配置を変更可能とするセット背景選択画面４０１（上半分のみ図示）を示している。
【０１６４】
図１９に示されるセット背景選択画面４０１において、選択セット背景表示部４１２には、利用者に選択され、「人物ON」ボタン４４１が選択されることで撮影画像が合成された背景画像が表示されている。また、ＯＫボタン４１３の上方には、いれかえボタン４９１が設けられている。なお、「人物OFF」ボタン４４２が選択されている場合であっても、選択セット背景表示部４１２には、撮影画像が合成された背景画像が表示されるようにしてもよい。
【０１６５】
利用者によって、いれかえボタン４９１が操作されると、入力受付手段３２３は、背景画像の配置に対応して合成される撮影画像の配置の入れ替えの指示を受け付け、表示制御部３２２は、選択セット背景表示部４１２に表示される撮影画像の配置を入れ替える。
【０１６６】
例えば、６枚の撮影画像が、選択セット背景表示部４１２における領域４１２−１乃至４１２−６を、時計回り（または反時計回り）に移動するように、規則的に撮影画像の配置が入れ替わってもよいし、また、その配置がランダムに入れ替わってもよい。
【０１６７】
また、利用者によって選択された撮影画像同士の配置が入れ替わるようにしてもよい。これにより、撮影画像に、被写体のポーズや表情によりマッチした背景画像を合成させることができ、撮影画像の仕上がりをより良くすることができる。このように、シール紙全体に立体感をもたせることができるセット背景に対して、撮影画像の配置を入れ替えることができるので、利用者に、被写体と背景とがマッチした所望の撮影画像が印刷された、立体感のあるシール紙を簡単に提供することが可能となる。
【０１６８】
さらに、いれかえボタン４９１によって、撮影画像の配置が入れ替わるのではなく、セット背景における背景画像の配置が入れ替わるようにしてももちろんよい。この場合、背景画像の配置によっては、シール紙全体において、より立体感を強調させることが可能となる。
【０１６９】
なお、いれかえボタン４９１によって、利用者によって選択された撮影画像同士や背景画像同士の配置が入れ替わるのではなく、いれかえボタン４９１によって、任意の撮影画像同士や背景画像同士の配置が入れ替わるようにしてもよい。
【０１７０】
以上においては、セット背景は、６枚全ての撮影画像に合成させる背景画像、すなわち６枚の背景画像が配置されて構成されるものとしたが、６枚の撮影画像のうちの一部の撮影画像に合成させる背景画像が配置されて構成されるようにしてもよい。
【０１７１】
例えば、図２０に示されるように、セット背景を、５枚の撮影画像に合成させる５枚の背景画像５１１−１乃至５１１−５から構成されるようにしてもよい。この場合、撮影画像の残りの１枚に合成させる背景画像５２１は、セット背景とは別に選択されるものとする。
【０１７２】
これにより、利用者は、セット背景とは別に、気に入った背景画像を選択することができ、利用者の満足度を高めることができる。なお、背景画像５２１の候補として、背景画像５１１−１乃至５１１−５から構成されるセット背景のテーマに準じたものが利用者に対して提供されるようにすることで、シール紙全体の統一感が損なわれないようにする。
【０１７３】
なお、セット背景を構成する背景画像の枚数と、セット背景とは別に選択される背景画像の枚数は、上述したものに限られない。
【０１７４】
また、図２１に示されるように、３枚の撮影画像に合成させる３枚の背景画像５３１−１乃至５３１−３から構成されるセット背景と、残りの３枚の撮影画像に合成させる３枚の背景画像５４１−１乃至５４１−３から構成されるセット背景とを、利用者に選択させるようにしてもよい。
【０１７５】
これにより、異なるテーマのセット背景を、撮影画像に合成させることができ、結果として、面白みのあるシール紙を提供することができるようになる。
【０１７６】
なお、図２１に示される、上段の背景画像５３１−１乃至５３１−３から構成されるセット背景を選択させた後、下段の背景画像５４１−１乃至５４１−３から構成されるセット背景の候補として、上段のセット背景にマッチするテーマのセット背景を利用者に提示し、選択させるようにしてもよい。
【０１７７】
これにより、利用者に複数のセット背景を選択する楽しみを与えながら、統一感のあるシール紙を提供することができるようになる。
【０１７８】
さらに、図２１に示されるようなセット背景を、市松模様状に配置された３枚の背景画像から構成されるようにしてもよい。この場合、その３枚の背景画像をそれぞれ白色系の背景画像とし、残りの３枚の背景画像として、非白色系の背景画像を利用者に選択させるようにする。
【０１７９】
これにより、シール紙全体として、立体感をもたせることができることができる上に、利用者の好みのシール紙を提供することができるようになる。
【０１８０】
以上のようにして、セット背景を合成させた撮影画像は、落書き編集が施された後、印刷処理部３０３による印刷処理によって、シール紙に印刷され出力される。
【０１８１】
このとき、シール紙の縁の色を、セット背景のテーマに合わせた色としてもよい。これにより、シール紙全体の統一感をより一層高めることができるようになる。また、利用者があとでシール紙を見返す際に、背景画像を見なくとも、シール紙の縁の色から、選択したセット背景を思い出すことができる。
【０１８２】
以上においては、撮影処理において行われる撮影の回数を６回としたので、セット背景を、縦横２×３で配置される６枚の背景画像から構成されるようにしたが、例えば、撮影の回数を４回とした場合には、セット背景を、縦横２×２で配置される４枚の背景画像から構成されるようにする。
【０１８３】
また、以上においては、セット背景を、所定のテーマで統一された複数の背景画像から構成されるようにしたが、セット背景に、そのテーマに準じた前景画像が含まれるようにしてもよい。例えば、セット背景を構成する複数の背景画像のうちの所定の背景画像に、撮影画像における被写体の前景となる前景画像を組み合わせるようにする。
【０１８４】
これにより、撮影画像に奥行き感を持たせることができ、その撮影画像においては、立体感がさらに強調されるようになる。
【０１８５】
［シールレイアウトの決定について］
ところで、上述した編集処理においては、利用者の指示によって、シール紙の分割数が設定され、シールレイアウトが決定される（ステップＳ３６）。
【０１８６】
図２２乃至図２４は、分割数の選択の際に表示される分割パターン選択画面の例を示す図である。
【０１８７】
分割パターンには、シール紙がカットされず１枚で出力されるシールレイアウトが選択できる「cherrycherryおすすめ分割」、シール紙がカットされずに出力される、同じ大きさの印刷画像のシールレイアウトが選択できる「切れてる分割」、および、シール紙に対して印刷画像のサイズを小さくまたは大きくしたシールレイアウトが選択できる「小分割・大分割」がある。
【０１８８】
図２２の分割パターン選択画面には、それぞれの分割パターンを選択させるためのボタンが表示されている。図２２乃至図２４の例では、分割パターンとして「cherrycherryおすすめ分割」が選択されている。
【０１８９】
図２２乃至図２４に示されるように、分割パターン選択画面６０１には、主な構成が、左右に２つずつ設けられている。これにより、基本的に同じ組の２人の利用者が同時にシールレイアウトの選択を行うことができる。
【０１９０】
分割パターン選択画面６０１の左側には、選択対象レイアウト表示部６１１−１、選択済レイアウト表示部６１２−１、縦横選択ボタン６１３−１、およびＯＫボタン６１４−１が表示されている。
【０１９１】
選択対象レイアウト表示部６１１−１には、シールレイアウトを利用者に提示し選択させるためのレイアウト画像が複数表示されており、そのうちのいずれかが利用者によって選択されると、選択されたレイアウト画像が、選択済レイアウト表示部６１２−１に表示される。
【０１９２】
縦横選択ボタン６１３−１は、利用者に選択させるシールレイアウトとして、画像が主に縦方向に配列される縦長のシールレイアウトと、画像が主に横方向に配列される横長のシールレイアウトのいずれかの選択の入力を受け付けるためのボタンである。
【０１９３】
ＯＫボタン６１４−１は、選択済レイアウト表示部６１２−１に表示されているレイアウト画像で与えられるシールレイアウトを、最終的に出力されるシール紙における印刷画像の配置を表すシールレイアウトとして決定するためのボタンである。
【０１９４】
分割パターン選択画面６０１の右側には、選択対象レイアウト表示部６１１−２、選択済レイアウト表示部６１２−２、縦横選択ボタン６１３−２、およびＯＫボタン６１４−２が表示されているが、基本的な構成は、分割パターン選択画面６０１の右側と同様であるので、その説明は省略する。
【０１９５】
このような分割パターン選択画面の構成により、２人の利用者に、同時にシールレイアウトを選択させることは、従来も行われていた。しかしながら、従来の分割パターン選択画面においては、縦長のシールレイアウトと横長のシールレイアウトとが混在して雑然と並べられており、その中から所望のシールレイアウトを限られた時間のなかで選択することは、利用者にとって容易ではなかった。
【０１９６】
そこで、分割パターン選択画面６０１においては、縦横選択ボタン６１３−１，６１３−２により、利用者に、まず、縦長のシールレイアウトと横長のシールレイアウトのいずれかを選択させることができる。したがって、利用者は、縦長のシールレイアウトと横長のシールレイアウトのいずれかが整然と並べられたシールレイアウトの中から、所望のシールレイアウトを容易に選択することができるようになるので、結果として、シールレイアウトの選択に要する時間を短縮させることができる。
【０１９７】
ここで、図２２の分割パターン選択画面６０１においては、その左側において、縦横選択ボタン６１３−１により縦長のシールレイアウトが選択されており、その右側において、縦横選択ボタン６１３−２により縦長のシールレイアウトが選択されている。
【０１９８】
これにより、選択対象レイアウト表示部６１１−１には、縦長のシールレイアウトのレイアウト画像６３１Ａ，６３１Ｂ，６３１Ｃが表示され、選択対象レイアウト表示部６１１−２にも、縦長のシールレイアウトのレイアウト画像６３１Ａ，６３１Ｂ，６３１Ｃが表示されるようになる。
【０１９９】
また、図２３の分割パターン選択画面６０１においては、その左側において、縦横選択ボタン６１３−１により横長のシールレイアウトが選択されており、その右側において、縦横選択ボタン６１３−２により横長のシールレイアウトが選択されている。
【０２００】
これにより、選択対象レイアウト表示部６１１−１には、横長のシールレイアウトのレイアウト画像６３１Ｄ，６３１Ｅ，６３１Ｆ，６３１Ｇが表示され、選択対象レイアウト表示部６１１−２にも、横長のシールレイアウトのレイアウト画像６３１Ｄ，６３１Ｅ，６３１Ｆ，６３１Ｇが表示されるようになる。
【０２０１】
さらに、図２４の分割パターン選択画面６０１においては、その左側において、縦横選択ボタン６１３−１により横長のシールレイアウトが選択されており、その右側において、縦横選択ボタン６１３−２により縦長のシールレイアウトが選択されている。
【０２０２】
これにより、選択対象レイアウト表示部６１１−１には、横長のシールレイアウトのレイアウト画像６３１Ｄ，６３１Ｅ，６３１Ｆ，６３１Ｇが表示され、選択対象レイアウト表示部６１１−２には、縦長のシールレイアウトのレイアウト画像６３１Ａ，６３１Ｂ，６３１Ｃが表示されるようになる。
【０２０３】
このようにして、２人の利用者それぞれで異なるシールレイアウトを選択することができる。そして、印刷処理部３０３による印刷処理によって、選択されたシールレイアウトで、印刷画像（編集済み画像）がシール紙に印刷され出力される。
【０２０４】
上述したように、分割パターンとして、「cherrycherryおすすめ分割」が選択された場合、２人の利用者それぞれに選択されたシールレイアウトで配置された画像は、１枚のシール紙に印刷され、出力される。
【０２０５】
［出力されるシール紙の例］
図２５乃至図３０は、複数のシールレイアウトで画像が配置され、１枚で出力されるシール紙の例を示している。
【０２０６】
ここで、上述したレイアウト画像６３１Ａ，６３１Ｂ，６３１Ｃ，６３１Ｄ，６３１Ｅ，６３１Ｆ，６３１Ｇで与えられるシールレイアウトを、それぞれシールレイアウトＡ，Ｂ，Ｃ，Ｄ，Ｅ，Ｆ，Ｇということとする。
【０２０７】
まず、図２２を参照して説明したように、分割パターン選択画面６０１において、その両側で縦長のシールレイアウトが選択された場合に出力されるシール紙として、図２５に示されるシール紙においては、その左側に、シールレイアウトＡで画像が配置され、その右側に、シールレイアウトＢで画像が配置されている。
【０２０８】
また、図２６に示されるシール紙においては、左右両側に、シールレイアウトＢで画像が配置されている。
【０２０９】
次に、図２３を参照して説明したように、分割パターン選択画面６０１において、その両側で横長のシールレイアウトが選択された場合に出力されるシール紙として、図２７に示されるシール紙においては、左右両側に、シールレイアウトＦで画像が配置されている。ここで、シール紙自体は、利用者によって左右に切り分けられるので、切り分けた後の形状は縦長となる。したがって、横長のシールレイアウトの場合は、レイアウト画像を、分割パターン選択画面６０１に表示されている状態から90°回転させた配置で印刷させる必要がある。この場合、シール紙の左右両側に印刷される画像が、横長のシールレイアウトで配置されるので、その左右両側において、レイアウト画像Ｆを反時計回りに90°回転させた配置で印刷させる。
【０２１０】
さらに、図２４を参照して説明したように、分割パターン選択画面６０１において、その両側で異なる（縦長と横長の）シールレイアウトが選択された場合に出力されるシール紙として、図２８に示されるシール紙においては、その左側に、シールレイアウトＥで画像が配置され、その右側に、シールレイアウトＡで画像が配置されている。この場合、シール紙の左側に印刷される画像が、横長のシールレイアウトで配置されるので、その左側において、レイアウト画像Ｅを反時計回りに90°回転させた配置で印刷させる。
【０２１１】
図２９に示されるシール紙においては、その左側に、シールレイアウトＡで画像が配置され、その右側に、シールレイアウトＤで画像が配置されている。この場合、シール紙の右側に印刷される画像が、横長のシールレイアウトで配置されるので、その右側において、レイアウト画像Ｄを反時計回りに90°回転させた配置で印刷させる。
【０２１２】
図３０に示されるシール紙においては、その左側に、シールレイアウトＣで画像が配置され、その右側に、シールレイアウトＤで画像が配置されている。この場合、シール紙の右側に印刷される画像が、横長のシールレイアウトで配置されるので、その右側において、レイアウト画像Ｄを時計回りに90°回転させた配置で印刷させる。
【０２１３】
このように、シール紙において、縦長の印刷領域に横長のシールレイアウトで画像を配置する場合、その横長のシールレイアウトを与えるレイアウト画像を90°回転させる向きは、反時計回りであってもよいし、時計回りであってもよい。
【０２１４】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２１５】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２１６】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２１７】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２１８】
また、本発明の実施の形態は、上述した実施の形態に限定されるものではなく、本発明の要旨を逸脱しない範囲において種々の変更が可能である。
【符号の説明】
【０２１９】
１  写真シール作成装置
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
３２１  撮影画像取得部
３２２  表示制御部
３２３  入力受付部
３２４  落書き編集部
３２５  分割数設定部
【要約】
【課題】立体感のあるシール紙を提供する。
【解決手段】撮影処理部は、利用者を被写体として撮影し、表示制御部は、撮影により得られた複数の撮影画像それぞれに合成させる背景画像であって、所定のテーマで統一された複数の背景画像のセットであるセット背景画像を利用者に選択させるための選択画面を表示制御し、入力受付部は、選択画面に対する利用者の選択の入力を受け付ける。セット背景画像は、少なくとも１つの白色系の背景画像が、少なくとも１つの非白色系の背景画像に隣接して配置されて構成される。本発明は、例えば、写真シール作成装置に適用することができる。
【選択図】図１１【図１】
0005621876.tif 000002
【図２】
0005621876.tif 000003
【図３】
0005621876.tif 000004
【図４】
0005621876.tif 000005
【図５】
0005621876.tif 000006
【図６】
0005621876.tif 000007
【図７】
0005621876.tif 000008
【図８】
0005621876.tif 000009
【図９】
0005621876.tif 000010
【図１０】
0005621876.tif 000011
【図１１】
0005621876.tif 000012
【図１２】
0005621876.tif 000013
【図１３】
0005621876.tif 000014
【図１４】
0005621876.tif 000015
【図１５】
0005621876.tif 000016
【図１６】
0005621876.tif 000017
【図１７】
0005621876.tif 000018
【図１８】
0005621876.tif 000019
【図１９】
0005621876.tif 000020
【図２０】
0005621876.tif 000021
【図２１】
0005621876.tif 000022
【図２２】
0005621876.tif 000023
【図２３】
0005621876.tif 000024
【図２４】
0005621876.tif 000025
【図２５】
0005621876.tif 000026
【図２６】
0005621876.tif 000027
【図２７】
0005621876.tif 000028
【図２８】
0005621876.tif 000029
【図２９】
0005621876.tif 000030
【図３０】
0005621876.tif 000031